(57)【要約】【課題】フォークリフトトラックのカウンターウエイト上に搭載するＬＰＧボンベを交換する際、ＬＰＧボンベの取り付けあるいは取り外しの高さをできるだけ低くするようにして、交換作業を極めて容易なものにする。【解決手段】フォークリフトトラックのカウンターウエイト７上にＬＰＧボンベ８を着脱自在に保持する保持部材２０を配置し、この保持部材２０をカウンターウエイト７上より垂下可能にすると共に、この保持部材２０にＬＰＧボンベ８の底を載置可能にする補助ブラケット２９を回動自在に備えて、保持部材２０を垂下したとき、補助ブラケット２９を回動して保持部材２０の下方に補助ブラケット２９を下げるようにする。【選択図】　　　　図４
2004034933.tif 000002
【特許請求の範囲】
【請求項１】
産業車両のカウンターウエイト７上に燃料ガスボンベを着脱自在に保持する保持部材２０を配置し、この保持部材２０をカウンターウエイト７上より垂下可能にすると共に、この保持部材２０に燃料ガスボンベの底を載置可能にする補助ブラケット２９を回動自在に備えて、保持部材２０を垂下したとき、補助ブラケット２９を回動して保持部材２０の下方に補助ブラケット２９を下げるようにしたことを特徴とする産業車両の燃料ガスボンベ搭載装置。
【発明の詳細な説明】
【０００１】
【発明の属する技術分野】
本発明は、燃料ガスを燃料として駆動する産業車両において、燃料ガスボンベを搭載するための産業車両の燃料ガスボンベ搭載装置に関する。
【０００２】
【従来の技術】
従来、産業車両、例えば、フォークリフトトラックにおいて、燃料ガスを燃料として駆動するものが知られており、このフォークリフトトラックにあっては、図１に示すように、車体１の前部にマスト２やフォーク爪３等からなる作業装置４を装着すると共に、車体１の前後中央部にエンジン等を備え、エンジン等を覆うボンネット５を設けて、このボンネット５の上に運転席６を設けていた。また、車体１の後部にカウンターウエイト７を装着していた。そして、このカウンターウエイト７の上に燃料ガス、例えばＬＰＧを充填したＬＰＧボンベ８を搭載し、これを燃料として駆動するようになっていた。また、このＬＰＧボンベ８をカウンターウエイト７上に搭載するための燃料ガスボンベ搭載装置を備えていた。
【０００３】
この燃料ガスボンベ搭載装置としては、例えば、特開２０００−２６４０７７号に示すように、カウンターウエイト上にベースプレートを固着し、このベースプレートに対して回転する回転プレートを設け、この回転プレートに折り曲げ自在となる保持部材を備え、この保持部材にＬＰＧボンベをバンドを介して着脱自在に保持するようにして、回転プレートを後方に回転させた後、保持部材において折り曲げることで、垂下するようになっていた。
【０００４】
このような構成となる燃料ガスボンベ搭載装置にあっては、ＬＰＧボンベを交換する際、保持部材において折り曲げることで、ＬＰＧボンベを下方に位置させることができ、ＬＰＧボンベの交換作業をある程度容易なものにすることができた。
【０００５】
【発明が解決しようとする課題】
しかしながら、従来の燃料ガスボンベ搭載装置では、ＬＰＧボンベの交換作業を行う際、保持部材において折り曲げることで、ＬＰＧボンベを下方に位置させることができ、作業をある程度容易なものにすることができるものの、それでも、ＬＰＧボンベを保持部材に取り付けるとき等、どうしてもＬＰＧボンベをある程度の高さまで持ち上げなくてはならず、このＬＰＧボンベにあっては、ＬＰＧを満タンに充填した状態では５０ｋｇ前後と非常に重くなり、持ち上げるのが困難なものとなるおそれがあった。
【０００６】
本発明は、このＬＰＧボンベを交換する際、ＬＰＧボンベの取り付けあるいは取り外しの高さをできるだけ低くするようにして、交換作業を極めて容易なものにすることを、その課題としている。
【０００７】
【課題を解決するための手段】
本発明は、産業車両のカウンターウエイト上に燃料ガスボンベを着脱自在に保持する保持部材を配置し、この保持部材をカウンターウエイト上より垂下可能にすると共に、この保持部材に燃料ガスボンベの底を載置可能にする補助ブラケットを回動自在に備えて、保持部材を垂下したとき、補助ブラケットを回動して保持部材の下方に補助ブラケットを下げるようにする。
【０００８】
【作　用】
本発明によれば、保持部材を垂下したとき、保持部材の下方に補助ブラケットを下げるようにしたことで、燃料ガスボンベの交換作業の際、作業者における燃料ガスボンベの取り付けあるいは取り外しの高さをできるだけ低くして、この交換作業を極めて容易なものにすることができる。
【０００９】
【発明の実施の形態】
本発明による産業車両の燃料ガスボンベ搭載装置は、図２、図３に示すように、車体１後部のカウンターウエイト７上に車体幅方向である左右に伸びた板状のベースプレート１１を固着し、このベースプレート１１の左右一端側に垂直に向かう軸１２を固着する。そして、このベースプレート１１の上部に回転プレート１３を備え、この回転プレート１３はベースプレート１１に固着した軸１２を中心にして水平回転するようになる。なお、ベースプレート１１における軸１２の周囲には溝部１４を形成した湾曲状の固定用ブロック１５を備えると共に、回転プレート１３にはロックピン１６を備えて、回転プレート１３を水平回転していくと、ロックピン１６が固定用ブロック１５の溝部１４に嵌り、回転プレート１３を所定の位置で固定するようになる。また、図示していないが、回転プレート１３を元の位置に戻すと、ここでも回転プレート１３を固定する機構を備えている。
【００１０】
そして、この回転プレート１３に燃料ガスボンベ、例えばＬＰＧを充填したＬＰＧボンベ８を着脱自在に保持する保持部材２０を取り付けて、カウンターウエイト７上に保持部材２０を配置することで、保持したＬＰＧボンベ８をカウンターウエイト７上に車体１幅方向である左右横向きに搭載するようになる。この保持部材２０としては、回転プレート１３に水平に向かうピン２１を介して上下に折り曲がる一対のパイプ枠２２を備え、この一対のパイプ枠２２を連結する２つの連結プレート２３を取り付けると共に、パイプ枠２２及び連結プレート２３を上方に持ち上げる働きをする２本のガスダンパー２４を取り付けた構成となる。そして、この保持部材２０にはＬＰＧボンベ８を固定するためのバンド２５を備え、このバンド２５にはレバー式リング２６と掛止用フック２７を備えている。また、保持部材２０にはＬＰＧボンベ８を支えて横方向にずれるのを防止する逆ハ字状に配置された板状の一対のガイド材２８も備えている。なお、このガイド材２８には単なる板材を用いたが、この代わりに回転式ローラを用いても良く、回転式ローラを用いたときは、この回転式ローラ上をＬＰＧボンベ８が容易に移動することができるようになる。
【００１１】
この保持部材２０にあっては、ベースプレート１１に対して回転プレート１３を後方に水平回転した後、ピン２１を介して下方に折り曲げることで、カウンターウエイト７の後方において垂下するようになる。
【００１２】
さらに、この保持部材２０における回転プレート１３に取り付く側と反対となる側の一端にＬＰＧボンベ８の底を載置可能にする補助ブラケット２９を備えて、この補助ブラケット２９は一枚のＬ字形の板材であり、基端側にピン３０を備えてこのピン３０が保持部材２０の一端となる連結プレート２３に取り付くことで、補助ブラケット２９が保持部材２０に対して回動自在となる。なお、この補助ブラケット２９にはストッパーを備えて、このストッパーにより略９０度のみ回動するようになる。
【００１３】
この補助ブラケット２９にあっては、図４に示すように、カウンターウエイト７の後方において保持部材２０を垂下したとき、ピン３０により補助ブラケット２９を回動することで、保持部材２０に対してさらに下方に下がるようになる。
【００１４】
次に、このような構成となる燃料ガスボンベ搭載装置において、ＬＰＧボンベ８の交換作業について説明する。
【００１５】
まず、図５（Ａ）に示すように、カウンターウエイト７上に左右横向きに搭載したＬＰＧボンベ８を取り外す作業について説明すると、図５（Ｂ）に示すように、ベースプレート１１に対して回転プレート１３を後方に水平回転して、ＬＰＧボンベ８をカウンターウエイト７上より後方に移動する。
【００１６】
次に、図６（Ｃ）に示すように、保持部材２０においてピン２１を介して下方に折り曲げて、カウンターウエイト７の後方において保持部材２０を垂下することで、ＬＰＧボンベ８を縦にすると共に、ある程度下方に位置させる。
【００１７】
そして、補助ブラケット２９を略９０度回動して、この補助ブラケット２９を保持部材２０に対してさらに下方に下げる。
【００１８】
次に、図６（Ｄ）に示すように、保持部材２０においてＬＰＧボンベ８を固定しているバンド２５のレバー式リング２６と掛止用フック２７を外し、ＬＰＧボンベ８を下に降ろす。そして、保持部材２０の下方に下げた補助ブラケット２９にＬＰＧボンベ８の底を載置して、ＬＰＧボンベ８を地面に接近するようにできるだけ低くする。
【００１９】
そして、ＬＰＧボンベ８を地面に接近するようにできるだけ低くした後、作業者が補助ブラケット２９に載置されたＬＰＧボンベ８を取り外して持ち運ぶようになる。
【００２０】
一方、新たにＬＰＧを満タンにしたＬＰＧボンベ８をカウンターウエイト７上に搭載する作業について説明すると、図６（Ｄ）に示すように、新しいＬＰＧボンベ８を作業者が持ち込み、保持部材２０の下方に下げた補助ブラケット２９にＬＰＧボンベ８の底を載置する。
【００２１】
そして、この状態のまま、図７（Ｅ）に示すように、保持部材２０においてガスダンパー２４を用いて保持部材２０及び補助ブラケット２９を水平に向くまで持ち上げて、カウンターウエイト７の後方においてＬＰＧボンベ８を横にする。
【００２２】
次に、図７（Ｆ）に示すように、保持部材２０と補助ブラケット２９にわたって横向きに乗っているＬＰＧボンベ８を保持部材２０のガイド材２８により前方に移動して、ＬＰＧボンベ８を保持部材２０のみに乗せる。そして、補助ブラケット２９を略９０度回動して、ＬＰＧボンベ８の底に沿わすようにする。そして、バンド２５のレバー式リング２６と掛止用フック２７を引っ掛けて、保持部材２０にＬＰＧボンベ８をしっかりと固定する。また、図５（Ｂ）に示すように、補助ブラケット２９を略９０度回動し起こして、ＬＰＧボンベ８の底側の上方を補助ブラケット２９により覆う。
【００２３】
次に、図５（Ａ）に示すように、ベースプレート１１に対して回転プレート１３を前方に水平回転して、カウンターウエイト７上にＬＰＧボンベ８を移動し、ＬＰＧボンベ８をカウンターウエイト７上に左右横向きに搭載する。
【００２４】
以上のように、カウンターウエイト７の後方において保持部材２０を垂下したとき、補助ブラケット２９を回動して保持部材２０の下方に下げるようにしたことで、ＬＰＧボンベ８の交換作業の際、ＬＰＧボンベ８の取り付けあるいは取り外しの高さをできるだけ低くすることができ、これにより、作業者がＬＰＧボンベ８を容易に持ち込むあるいは持ち出すことができ、ＬＰＧボンベ８の交換作業を極めて容易なものにする。特に、ＬＰＧボンベ８をカウンターウエイト７上に搭載するために保持部材２０に取り付けるとき等、５０ｋｇ前後と非常に重くなるＬＰＧボンベ８をできるだけ低い場所で作業することができ、作業者への負担を大幅に低減する。
【００２５】
さらに、補助ブラケット２９については、保持部材２０に対して単にピン３０により回動自在することで、保持部材２０の下方に下がるようになる構造であり、この構造が極めて簡単なものにすることで、この組み付け作業も容易であり、既存のものにも容易に組み付けることができる。しかも、これを極めて安価に提供することができる。
【００２６】
また、この補助ブラケット２９を一枚のＬ字形の板材とすることで、ＬＰＧボンベ８をカウンターウエイト７上に左右横向きに搭載した際、補助ブラケット２９がＬＰＧボンベ８の底側の上方を覆うようになり、荷役作業における走行時、この補助ブラケット２９によってＬＰＧボンベ８に物が直接衝突したりするのをガードすることができる。
【００２７】
なお、前述した実施形態において、補助ブラケット２９にあっては、一枚のＬ字形の板材であったが、これに限定されるものではなく、例えば、幅に狭い細長となるＬ字形の板材を二枚用いるようにしても良いし、あるいはＬ字形の棒材を二本用いるようにしても良い。
【００２８】
【発明の効果】
本発明によれば、保持部材を垂下したとき、保持部材の下方に補助ブラケットを下げるようにしたことで、燃料ガスボンベの交換作業の際、作業者における燃料ガスボンベの取り付けあるいは取り外しの高さをできるだけ低くして、燃料ガスボンベの交換作業を極めて容易なものにすることができ、作業時の作業者への負担を大幅に低減することができる。
【図面の簡単な説明】
【図１】フォークリフトトラックの側面図である。
【図２】本発明による産業車両の燃料ガスボンベ搭載装置の後面図である。
【図３】本発明による産業車両の燃料ガスボンベ搭載装置の分解斜視図である。
【図４】本発明による産業車両の燃料ガスボンベ搭載装置の状態説明図である。
【図５】（Ａ）本発明による産業車両の燃料ガスボンベ搭載装置におけるボンベ交換作業の説明図である。
（Ｂ）本発明による産業車両の燃料ガスボンベ搭載装置におけるボンベ交換作業の説明図である。
【図６】（Ｃ）本発明による産業車両の燃料ガスボンベ搭載装置におけるボンベ交換作業の説明図である。
（Ｄ）本発明による産業車両の燃料ガスボンベ搭載装置におけるボンベ交換作業の説明図である。
【図７】（Ｅ）本発明による産業車両の燃料ガスボンベ搭載装置におけるボンベ交換作業の説明図である。
（Ｆ）本発明による産業車両の燃料ガスボンベ搭載装置におけるボンベ交換作業の説明図である。
【符号の説明】
１…車体、２…マスト、３…フォーク爪、４…作業装置、５…ボンネット、６…運転席、７…カウンターウエイト、８…ＬＰＧボンベ、１１…ベースプレート、１２…軸、１３…回転プレート、１４…溝部、１５…固定用ブロック、１６…ロックピン、２０…保持部材、２１…ピン、２２…パイプ枠、２３…連結プレート、２４…ガスダンパー、２５…バンド、２６…レバー式リング、２７…掛止用フック、２８…ガイド材、２９…補助ブラケット、３０…ピン。
【図１】
2004034933.tif 000003
【図２】
2004034933.tif 000004
【図３】
2004034933.tif 000005
【図４】
2004034933.tif 000006
【図５】
2004034933.tif 000007
【図６】
2004034933.tif 000008
【図７】
2004034933.tif 000009